(57)【要約】【課題】構成簡易で持ち運び容易であり、長尺のスキー板やスノーボード等にも対応でき、しかも安全性に優れたスキー板等ワクシング用ケースを提供することを課題とする。【解決手段】面ヒーター１１を配置する容体１と、その開口面を覆う蓋体２とから成っていて、スキー板等を収納してその滑走面にワクシングを行なうためのケースであって、前記容体１と前記蓋体２とを連結するファスナー３が、少なくとも２個のスライダー４、５によって開閉自在にされていて、前記面ヒーター１１のサーモスタット１２が前記容体１の底面の中間位置に配置されていることを特徴とする。【選択図】図１
2005312532.tif 000002
【特許請求の範囲】
【請求項１】
面ヒーターを配置する容体と、その開口面を覆う蓋体とから成っていて、スキー板等を収納してその滑走面にワクシングを行なうためのケースであって、前記容体と前記蓋体とを連結するファスナーが、少なくとも２個のスライダーによって開閉自在にされていて、前記面ヒーターのサーモスタットが前記容体の底面の中間位置に配置されていることを特徴とするスキー板等ワクシング用ケース。
【請求項２】
面ヒーターを配置する容体と、その開口面を覆う蓋体とから成っていて、スキー板等を収納してその滑走面にワクシングを行なうためのケースであって、前記蓋体の両端部に、スキー板等の端部を露出させるための開閉自在な開口部が形成され、前記面ヒーターのサーモスタットが前記容体の底面の中間位置に配置されていることを特徴とするスキー板等ワクシング用ケース。
【請求項３】
面ヒーターを配置する容体と、その開口面を覆う蓋体とから成っていて、スキー板等を収納してその滑走面にワクシングを行なうためのケースであって、前記容体と前記蓋体とを連結するファスナーが、少なくとも２個のスライダーによって開閉自在にされていることを特徴とするスキー板等ワクシング用ケース。
【請求項４】
面ヒーターを配置する容体と、その開口面を覆う蓋体とから成っていて、スキー板等を収納してその滑走面にワクシングを行なうためのケースであって、前記蓋体の両端部に、スキー板等の端部を露出させるための開閉自在な開口部が形成されていることを特徴とするスキー板等ワクシング用ケース。
【請求項５】
面ヒーターを配置する容体と、その開口面を覆う蓋体とから成っていて、スキー板等を収納してその滑走面にワクシングを行なうためのケースであって、前記面ヒーターのサーモスタットが前記容体の底面の中間位置に配置されていることを特徴とするスキー板等ワクシング用ケース。
【請求項６】
前記容体及び蓋体を布製とすることにより、折畳み、及び／又は、巻き込み可能にした請求項１乃至５のいずれかに記載のスキー板等ワクシング用ケース。
【請求項７】
前記容体及び蓋体の内面に、遠赤外線放射繊維その他の蓄熱保温素材を配した請求項１乃至６のいずれかに記載のスキー板等ワクシング用ケース。
【請求項８】
前記容体及び蓋体の少なくとも前記面ヒーター配置面以外の構成面内に、断熱材を内包した請求項１乃至７のいずれかに記載のスキー板等ワクシング用ケース。
【発明の詳細な説明】
【技術分野】
【０００１】
本発明はスキー板等ワクシング用ケース、より詳細には、スキー板、スノーボード等の雪上滑走具のワクシングを自動的に簡単に行なうことができるスキー板等ワクシング用ケースに関するものである。
【背景技術】
【０００２】
新しいスキー板やスノーボード等の滑走面にベースワックスを浸透させるために、アイロンでワックスを溶かしながら浸透させ、余分なワックスを剥がした後、再びアイロンでワックスを溶かしながら浸透させていく作業が行なわれている。この作業は、上記の工程を５〜１０回程反復するために、作業終了までに多くの時間と手間を要する。
【０００３】
このような従来の方法によるワックス浸透方法の場合、アイロンを用いた手作業でワックスを浸透させていくので、非常に手間がかかるという問題があるので、本願発明者は、そのような問題を解決するために、構成簡易で携帯に適し、手間をかけることなく、スキー板やスノーボード等の滑走面にワックスを十分浸透させることができるスキー板用ワックス浸透装置を提唱した（特開２００３−２３０６５５号公報）。
【０００４】
しかし、この従来のスキー板用ワックス浸透装置の場合、種々の長さのものがあるスキー板やスノーボードの全てに対応させるためには、最も長尺のスキー板を収納し得るサイズに形成する必要があり、そのように形成したときは、多くの場合、装置内のスペースに無駄が生ずる結果となる。
【０００５】
また、このタイプのスキー板用ワックス浸透装置は、スキー板やスノーボード等の靴用ビンディング取付金具との関係による面ヒーター３０の異常発熱を正確に感知するために、サーモスタット３１を備える（図５、図６参照）。
【０００６】
このサーモスタット３１は、面ヒーター３０のコード３２が面ヒーター３０の端部から出て装置の短尺側側面に出される関係上、面ヒーター３０の端部に近い位置に設置されることとなるが（図５）、その場合は、サーモスタット３１から遠い位置の面ヒーター３０の温度を正確に測定することが難しくなり、８０℃以上の高温になってもサーモスタット３１の効果が出にくいという不都合がある。一方、サーモスタット３１を中心部に配置した場合（図６）には、サーモスタット３１からの結線コード３３が長くなってしまい、面ヒーター３０を巻き込む際に結線コード３３が引っ張られてサーモスタット３１が外れたり、結線コード３３が外れたりして、次回使用時に結線不良を起こしたりする虞がある。
【０００７】
【特許文献１】特開２００３−２３０６５５号公報
【発明の開示】
【発明が解決しようとする課題】
【０００８】
上記従来の方法によるワックス浸透方法や装置の場合、アイロンを用いた手作業でワックスを浸透させていく方法は煩わしく手間がかかり、装置を使用する場合には、サイズによる利便性や構造による安全性に問題があった。そこで本考案は、構成簡易で持ち運び容易であり、長尺のスキー板やスノーボード等にも対応でき、しかも安全性に優れたスキー板等ワクシング用ケースを提供することを課題とする。
【課題を解決するための手段】
【０００９】
本発明は、面ヒーターを配置する容体と、その開口面を覆う蓋体とから成っていて、スキー板等を収納してその滑走面にワクシングを行なうためのケースであって、前記容体と前記蓋体とを連結するファスナーが、少なくとも２個のスライダーによって開閉自在にされていて、前記面ヒーターのサーモスタットが前記容体の底面の中間位置に配置されていることを特徴とするスキー板等ワクシング用ケース、を以て上記課題を解決した。
【００１０】
本発明はまた、面ヒーターを配置する容体と、その開口面を覆う蓋体とから成っていて、スキー板等を収納してその滑走面にワクシングを行なうためのケースであって、前記蓋体の両端部に、スキー板等の端部を露出させるための開閉自在な開口部が形成され、前記面ヒーターのサーモスタットが前記容体の底面の中間位置に配置されていることを特徴とするスキー板等ワクシング用ケース、を以て上記課題を解決した。
【００１１】
更に本発明は、面ヒーターを配置する容体と、その開口面を覆う蓋体とから成っていて、スキー板等を収納してその滑走面にワクシングを行なうためのケースであって、前記容体と前記蓋体とを連結するファスナーが、少なくとも２個のスライダーによって開閉自在にされていることを特徴とするスキー板等ワクシング用ケース、を以て上記課題を解決した。
【００１２】
更に本発明は、面ヒーターを配置する容体と、その開口面を覆う蓋体とから成っていて、スキー板等を収納してその滑走面にワクシングを行なうためのケースであって、前記蓋体の両端部に、スキー板等の端部を露出させるための開閉自在な開口部を設けたことを特徴とするスキー板等ワクシング用ケース、を以て上記課題を解決した。
【００１３】
更に本発明は、面ヒーターを配置する容体と、その開口面を覆う蓋体とから成っていて、スキー板等を収納してその滑走面にワクシングを行なうためのケースであって、前記面ヒーターのサーモスタットが前記容体の底面の中間位置に配置されていることを特徴とするスキー板等ワクシング用ケース、を以て上記課題を解決した。
【発明の効果】
【００１４】
本発明は、構成簡易で携帯に適しているだけでなく、ケースよりも長尺のスキー板やスノーボード等にも対応でき、不使用時には巻き込んだりしてコンパクトに収納でき、且つ安全性にも優れており、ワックス浸透作業を２〜３時間で自動的に行なうことができるといった効果がある。
【発明を実施するための最良の形態】
【００１５】
本発明を実施するための最良の形態を添付図面に依拠して説明する。図１は、本発明に係るスキー板等ワクシング用ケースの一実施形態の斜視図であり、そこに示されたケースは、容体１と、容体１の開口面を覆う蓋体２とから成る。蓋体２は、一辺が容体１に固定され、ファスナー３を介して開閉可能にされる。
【００１６】
容体１及び蓋体２の材質としては、金属やハードプラスチックも考えられるが、軽量で折畳みや巻き込みが可能で携帯に至便であるといった点から、強靭な繊維布であることが好ましい。そして、より好ましくは、それらの内面に、遠赤外線放射繊維その他の蓄熱保温素材が配される。そのようにした場合は、保温性に優れ、ヒーター使用時の熱拡散が防止される。その場合、容体１及び蓋体２自体を遠赤外線放射繊維布等で構成することとしてもよいし、容体１及び蓋体２の内面に該繊維布を縫着等により定着することとしてもよい。
【００１７】
本実施形態における容体１は、断面が略長方形で、上部が開口した構造である。容体１の大きさに特に制限はないが、長尺辺は、スキー板の平均的長さ程度にされる。
【００１８】
ファスナー３は、それを開閉する少なくとも２個のスライダー４、５を備える。ファスナー３が少なくとも２個のスライダー４、５を備えることとしたのは、容体１内に収まり切らない長さのスキー板２０やスノーボードを収納する場合に、ファスナー３の対向する短尺辺に２つの開口部７、８を形成し、その開口部よりスキー板２０やスノーボードの端部を外に出した状態でワックス浸透作業を可能ならしめるためである（図２参照）。
【００１９】
この点について詳述すると、図１において２つのスライダー４、５がＡ、Ｂ間を移動可能であって、Ａの位置に２つのスライダー４、５がある状態でファスナー３が全開になるとすると、まず、Ａの位置にあるスライダー５をＢの手前のＣの位置まで移動させることで、Ａ−Ｃ間が閉じてＢ−Ｃ間が開いた状態となり、Ｂ−Ｃ間に１つ目の開口部７ができる。次に、Ａの位置にあるもう１つのスライダー４をＡから少し離れたＤの位置まで移動させると、Ａ−Ｄ間が開いた状態となって２つ目の開口部８が形成される。スライダーが３つ又は４つになれば、上述した２つの場合の操作に準じ、より簡単な操作で開口部７、８を形成し得ることは、容易に理解し得るところである。
【００２０】
スキー板２０等の端部を突出させるための他の方法としては、蓋体２の両端部に２つの開口部７ａ、８ａを設けることが考えられる（図３）。この場合の開口部７ａ、８ａは蓋体２の短尺辺に沿って形成され、ファスナー等で開閉可能にされる。
【００２１】
図４に示すように、容体１の底面には、長さ方向に延びる２本の電極線１０を有する面ヒーター１１が、通例、出し入れ自在に収装される。面ヒーター１１としては、各種暖房手段に用いられている一般的なものをそのまま用いることができる。電極線１０には、スキー板やスノーボード等の靴用ビンディング取付金具との関係による異常発熱を正確に検出するためのサーモスタット１２が設置される。本実施形態においては、サーモスタット１２は容体１の底面の略中心部に配置される。
【００２２】
また、面ヒーター１１を丸めて携帯する場合に結線不良を起こさないようにするため、コード挿通孔１３を、容体１の長尺側側面の略中間位置に設け、そこから電源コード１４を出すようにすることが好ましいが、勿論、コード挿通孔１３の設置位置は任意で、中間位置に限定される訳ではないし、複数箇所に設けることも可能である。
【００２３】
使用に際しては、ファスナー３を介して蓋体２を開き、固形ワックスを擦り付けたスキー板２０を、その裏面が面ヒーター１１に当接するようにして容体１内に入れ、蓋体２を閉めて、スキー板２０の裏面を面ヒーター１１で加熱する。サーモスタット１２は、例えば６０℃に設定する。
【００２４】
この状態で、例えば２〜３時間放置しておくと、その間にワックスが溶けて、徐々にスキー板２０に浸透していく。その浸透は、スキー板２０の全長に亘って迅速に、ほぼ均一に進行し、ワックスの羽毛立ちや白化状態が起こらずに、良好な浸透状態が得られる。
【００２５】
容体１及び蓋体２の内面に遠赤外線放射繊維を配した場合は、遠赤外線輻射熱が作用するため、ワックスの浸透が一層助長される。
【００２６】
保管時や携帯時には、容体１から面ヒーター１１を取り出して丸め、ケースは適宜丸めたり畳んだりして丸めた面ヒーター１１内に入れ、図示せぬ保管袋に収納する。勿論、面ヒーター１１を収納したまま、ケースを丸めてコンパクト化することもできる。
【００２７】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２８】
【図１】本発明に係るスキー板等ワクシング用ケースの一実施例を示す斜視図である。
【図２】本発明に係るスキー板等ワクシング用ケースの使用状態図である。
【図３】本発明に係るスキー板等ワクシング用ケースの他の実施例を示す斜視図である。
【図４】本発明に係るスキー板用ワクシング用ケースにおける面ヒーターのサーモスタットの配置方法を示す図である。
【図５】従来の面ヒーターの方法を示す図である。
【図６】従来の面ヒーターの他の配置方法を示す図である。
【符号の説明】
【００２９】
１    容体
２    蓋体
３    ファスナー
４    スライダー
５    スライダー
７    開口部
７ａ  開口部
８    開口部
８ａ  開口部
１０  電極線
１１  面ヒーター
１２  サーモスタット
１３  コード挿通孔
１４  電源コード
２０  スキー板
【図１】
2005312532.tif 000003
【図２】
2005312532.tif 000004
【図３】
2005312532.tif 000005
【図４】
2005312532.tif 000006
【図５】
2005312532.tif 000007
【図６】
2005312532.tif 000008